【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のユーザ機器（ＵＥ）と少なくとも第２のＵＥとを備える非直交多重接続（ＮＯＭＡ）グループと関連付けられるグループ識別子に少なくとも一部基づいて、前記第１のＵＥのためのダウンリンク制御情報を受信することと、
前記第１のＵＥのための前記ダウンリンク制御情報に少なくとも一部基づいて、前記第１のＵＥにおいてＮＯＭＡダウンリンク送信のセットを受信することと、
を備え、
前記第１のＵＥのための前記ダウンリンク制御情報が、前記グループ識別子および前記第１のＵＥに割り当てられた第１のＵＥ識別子の決定論的な関数に少なくとも一部基づいて受信される、方法。
【請求項２】
前記第１のＵＥのための前記ダウンリンク制御情報が、前記第１のＵＥに割り当てられる第１のＵＥ識別子を参照し、
前記方法が、特に、
ＮＯＭＡダウンリンク送信の前記セットの中で、前記第１のＵＥ識別子に少なくとも一部基づいて第１の無線ネットワーク一時識別子（ＲＮＴＩ）を使用して前記第１のＵＥのための第１のダウンリンク送信を特定することをさらに備え、
前記第１のＲＮＴＩが、特に、前記第１のＵＥ識別子および前記グループ識別子の決定論的な関数に少なくとも一部さらに基づく、請求項１に記載の方法。
【請求項３】
前記ＮＯＭＡグループと関連付けられる前記グループ識別子に少なくとも一部基づいて、少なくとも前記第２のＵＥのためのダウンリンク制御情報を受信することをさらに備える、請求項１に記載の方法。
【請求項４】
前記第２のＵＥのための前記ダウンリンク制御情報を受信することが、
前記第２のＵＥのための前記ダウンリンク制御情報を、前記グループ識別子および前記第２のＵＥに割り当てられた第２のＵＥ識別子の決定論的な関数に少なくとも一部基づいて受信することを備える、請求項３に記載の方法。
【請求項５】
前記第１のＵＥのための前記ダウンリンク制御情報および少なくとも前記第２のＵＥのための前記ダウンリンク制御情報に少なくとも一部基づいて、干渉送信が前記第１のＵＥのためのダウンリンク送信と重複すると決定することをさらに備える、請求項３に記載の方法。
【請求項６】
少なくとも前記第２のＵＥのための前記ダウンリンク制御情報に少なくとも一部基づいて、前記干渉送信に対する干渉打消し動作を行うことをさらに備え、
少なくとも前記第２のＵＥのための前記ダウンリンク制御情報が、特に、前記第２のＵＥに割り当てられる第２のＵＥ識別子を参照し、前記干渉打消し動作が前記第２のＵＥ識別子に少なくとも一部基づいて第２の無線ネットワーク一時識別子（ＲＮＴＩ）を使用して行われ、
前記第２のＲＮＴＩが、特に、前記第２のＵＥ識別子および前記グループ識別子の決定論的な関数に少なくとも一部さらに基づく、請求項５に記載の方法。
【請求項７】
少なくとも前記第２のＵＥのための前記ダウンリンク制御情報を受信することが、
前記グループ識別子に少なくとも一部基づいて、前記ＮＯＭＡグループと関連付けられる全てのダウンリンク制御情報を受信することを備える、請求項３に記載の方法。
【請求項８】
前記第２のＵＥの指示に少なくとも一部基づいて前記第２のＵＥのためのダウンリンク制御情報を受信することをさらに備え、前記第１のＵＥのための前記ダウンリンク制御情報が前記指示を備え、
ＮＯＭＡダウンリンク送信の前記セットを受信することが、前記第２のＵＥのための前記ダウンリンク制御情報に少なくとも一部基づく、請求項１に記載の方法。
【請求項９】
ワイヤレス通信のための装置であって、
第１のユーザ機器（ＵＥ）と少なくとも第２のＵＥとを備える非直交多重接続（ＮＯＭＡ）グループと関連付けられるグループ識別子に少なくとも一部基づいて、前記第１のＵＥのためのダウンリンク制御情報を受信するための手段と、
前記第１のＵＥのための前記ダウンリンク制御情報に少なくとも一部基づいて、前記第１のＵＥにおいてＮＯＭＡダウンリンク送信のセットを受信するための手段と
を備え、
前記第１のＵＥのための前記ダウンリンク制御情報が、前記グループ識別子および前記第１のＵＥに割り当てられた第１のＵＥ識別子の決定論的な関数に少なくとも一部基づいて受信される、装置。
【請求項１０】
前記第１のＵＥのための前記ダウンリンク制御情報が、前記第１のＵＥに割り当てられる第１のＵＥ識別子を参照し、
前記装置が、特に、
ＮＯＭＡダウンリンク送信の前記セットの中で、前記第１のＵＥ識別子に少なくとも一部基づいて第１の無線ネットワーク一時識別子（ＲＮＴＩ）を使用して前記第１のＵＥのための第１のダウンリンク送信を特定するための手段をさらに備える、請求項９に記載の装置。
【請求項１１】
前記ＮＯＭＡグループと関連付けられる前記グループ識別子に少なくとも一部基づいて、少なくとも前記第２のＵＥのためのダウンリンク制御情報を受信するための手段をさらに備える、請求項９に記載の装置。
【請求項１２】
前記第１のＵＥのための前記ダウンリンク制御情報および少なくとも前記第２のＵＥのための前記ダウンリンク制御情報に少なくとも一部基づいて、干渉送信が前記第１のＵＥのためのダウンリンク送信と重複すると決定するための手段をさらに備える、請求項１１に記載の装置。
【請求項１３】
少なくとも前記第２のＵＥのための前記ダウンリンク制御情報に少なくとも一部基づいて、前記干渉送信に対する干渉打消し動作を行うための手段をさらに備え、
少なくとも前記第２のＵＥのための前記ダウンリンク制御情報が、特に、前記第２のＵＥに割り当てられる第２のＵＥ識別子を参照し、
前記干渉打消し動作が、特に、前記第２のＵＥ識別子に少なくとも一部基づいて第２の無線ネットワーク一時識別子（ＲＮＴＩ）を使用してさらに行われ、
前記第２のＲＮＴＩが、特に、前記第２のＵＥ識別子および前記グループ識別子の決定論的な関数に少なくとも一部さらに基づく、請求項１２に記載の装置。
【請求項１４】
前記第２のＵＥの指示に少なくとも一部基づいて前記第２のＵＥのためのダウンリンク制御情報を受信するための手段をさらに備え、前記第１のＵＥのための前記ダウンリンク制御情報が前記指示を備え、
ＮＯＭＡダウンリンク送信の前記セットを受信することが、前記第２のＵＥのための前記ダウンリンク制御情報に少なくとも一部基づく、請求項９に記載の装置。
【請求項１５】
コンピュータ上で実行されるとき、請求項１乃至８のいずれかに記載の方法を行うための命令を備える、コンピュータプログラム。
【手続補正２】
【補正対象書類名】明細書
【補正対象項目名】０３９５
【補正方法】変更
【補正の内容】
【０３９５】
[0429]  本開示の前の説明は、当業者が本開示を作成または使用できるように提供される。本開示の様々な変更が当業者には容易に明らかとなり、本明細書で定義される一般原理は、本開示の範囲から逸脱することなく他の変形形態に適用され得る。従って、本開示は、本明細書で説明された例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
ワイヤレス通信のための方法であって、
第１のユーザ機器（ＵＥ）と少なくとも第２のＵＥとを備える非直交多重接続（ＮＯＭＡ）グループと関連付けられるグループ識別子に少なくとも一部基づいて、前記第１のＵＥのためのダウンリンク制御情報を受信することと、
前記第１のＵＥのための前記ダウンリンク制御情報に少なくとも一部基づいて、前記第１のＵＥにおいてＮＯＭＡダウンリンク送信のセットを受信することと
を備える、方法。
［Ｃ２］
前記第１のＵＥのための前記ダウンリンク制御情報が、前記グループ識別子および前記第１のＵＥに割り当てられたＵＥ識別子の決定論的な関数に少なくとも一部基づいて受信される、Ｃ１に記載の方法。
［Ｃ３］
前記第１のＵＥのための前記ダウンリンク制御情報が、前記第１のＵＥに割り当てられる第１のＵＥ識別子を参照する、Ｃ１に記載の方法。
［Ｃ４］
ＮＯＭＡダウンリンク送信の前記セットの中で、前記第１のＵＥ識別子に少なくとも一部基づいて第１の無線ネットワーク一時識別子（ＲＮＴＩ）を使用して前記第１のＵＥのための第１のダウンリンク送信を特定することをさらに備える、Ｃ３に記載の方法。
［Ｃ５］
前記第１のＲＮＴＩが、前記第１のＵＥ識別子および前記グループ識別子の決定論的な関数に少なくとも一部基づく、Ｃ３に記載の方法。
［Ｃ６］
前記ＮＯＭＡグループと関連付けられる前記グループ識別子に少なくとも一部基づいて、少なくとも前記第２のＵＥのためのダウンリンク制御情報を受信することをさらに備える、Ｃ１に記載の方法。
［Ｃ７］
前記第２のＵＥのための前記ダウンリンク制御情報を受信することが、
前記第２のＵＥのための前記ダウンリンク制御情報を、前記グループ識別子および前記第２のＵＥに割り当てられた第２のＵＥ識別子の決定論的な関数に少なくとも一部基づいて受信することを備える、Ｃ６に記載の方法。
［Ｃ８］
前記第１のＵＥのための前記ダウンリンク制御情報および少なくとも前記第２のＵＥのための前記ダウンリンク制御情報に少なくとも一部基づいて、干渉送信が前記第１のＵＥのためのダウンリンク送信と重複すると決定することをさらに備える、Ｃ６に記載の方法。
［Ｃ９］
少なくとも前記第２のＵＥのための前記ダウンリンク制御情報に少なくとも一部基づいて、前記干渉送信に対する干渉打消し動作を行うことをさらに備える、Ｃ８に記載の方法。
［Ｃ１０］
少なくとも前記第２のＵＥのための前記ダウンリンク制御情報が前記第２のＵＥに割り当てられた第２のＵＥ識別子を参照し、前記干渉打消し動作が前記第２のＵＥ識別子に少なくとも一部基づいて第２の無線ネットワーク一時識別子（ＲＮＴＩ）を使用して行われる、Ｃ９に記載の方法。
［Ｃ１１］
前記第２のＲＮＴＩが、前記第２のＵＥ識別子および前記グループ識別子の決定論的な関数に少なくとも一部基づく、Ｃ１０に記載の方法。
［Ｃ１２］
少なくとも前記第２のＵＥのための前記ダウンリンク制御情報を受信することが、
前記グループ識別子に少なくとも一部基づいて、前記ＮＯＭＡグループと関連付けられる全てのダウンリンク制御情報を受信することを備える、Ｃ６に記載の方法。
［Ｃ１３］
前記第２のＵＥの指示に少なくとも一部基づいて前記第２のＵＥのためのダウンリンク制御情報を受信することをさらに備え、前記第１のＵＥのための前記ダウンリンク制御情報が前記指示を備え、
ＮＯＭＡダウンリンク送信の前記セットを受信することが、前記第２のＵＥのための前記ダウンリンク制御情報に少なくとも一部基づく、Ｃ１に記載の方法。
［Ｃ１４］
ワイヤレス通信のための装置であって、
第１のユーザ機器（ＵＥ）と少なくとも第２のＵＥとを備える非直交多重接続（ＮＯＭＡ）グループと関連付けられるグループ識別子に少なくとも一部基づいて、前記第１のＵＥのためのダウンリンク制御情報を受信するための手段と、
前記第１のＵＥのための前記ダウンリンク制御情報に少なくとも一部基づいて、前記第１のＵＥにおいてＮＯＭＡダウンリンク送信のセットを受信するための手段と
を備える、装置。
［Ｃ１５］
前記第１のＵＥのための前記ダウンリンク制御情報が、前記グループ識別子および前記第１のＵＥに割り当てられたＵＥ識別子の決定論的な関数に少なくとも一部基づいて受信される、Ｃ１４に記載の装置。
［Ｃ１６］
前記第１のＵＥのための前記ダウンリンク制御情報が、前記第１のＵＥに割り当てられる第１のＵＥ識別子を参照する、Ｃ１４に記載の装置。
［Ｃ１７］
ＮＯＭＡダウンリンク送信の前記セットの中で、前記第１のＵＥ識別子に少なくとも一部基づいて第１の無線ネットワーク一時識別子（ＲＮＴＩ）を使用して前記第１のＵＥのための第１のダウンリンク送信を特定するための手段をさらに備える、Ｃ１６に記載の装置。
［Ｃ１８］
前記ＮＯＭＡグループと関連付けられる前記グループ識別子に少なくとも一部基づいて、少なくとも前記第２のＵＥのためのダウンリンク制御情報を受信するための手段をさらに備える、Ｃ１４に記載の装置。
［Ｃ１９］
前記第１のＵＥのための前記ダウンリンク制御情報および少なくとも前記第２のＵＥのための前記ダウンリンク制御情報に少なくとも一部基づいて、干渉送信が前記第１のＵＥのためのダウンリンク送信と重複すると決定するための手段をさらに備える、Ｃ１８に記載の装置。
［Ｃ２０］
少なくとも前記第２のＵＥのための前記ダウンリンク制御情報に少なくとも一部基づいて、前記干渉送信に対する干渉打消し動作を行うための手段をさらに備える、Ｃ１９に記載の装置。
［Ｃ２１］
少なくとも前記第２のＵＥのための前記ダウンリンク制御情報が、前記第２のＵＥに割り当てられる第２のＵＥ識別子を参照する、Ｃ２０に記載の装置。
［Ｃ２２］
前記干渉打消し動作が、前記第２のＵＥ識別子に少なくとも一部基づいて、第２の無線ネットワーク一時識別子（ＲＮＴＩ）を使用して行われる、Ｃ２１に記載の装置。
［Ｃ２３］
前記第２のＵＥの指示に少なくとも一部基づいて前記第２のＵＥのためのダウンリンク制御情報を受信するための手段をさらに備え、前記第１のＵＥのための前記ダウンリンク制御情報が前記指示を備え、
ＮＯＭＡダウンリンク送信の前記セットを受信することが、前記第２のＵＥのための前記ダウンリンク制御情報に少なくとも一部基づく、Ｃ１４に記載の装置。
［Ｃ２４］
前記第２のＲＮＴＩが、前記第２のＵＥ識別子および前記グループ識別子の決定論的な関数に少なくとも一部基づく、Ｃ２２に記載の装置。
［Ｃ２５］
ワイヤレス通信のための装置であって、
プロセッサと、
前記プロセッサに結合されたメモリと
を備え、前記プロセッサが、
第１のユーザ機器（ＵＥ）と少なくとも第２のＵＥとを備える非直交多重接続（ＮＯＭＡ）グループと関連付けられるグループ識別子に少なくとも一部基づいて、前記第１のＵＥのためのダウンリンク制御情報を受信し、
前記第１のＵＥのための前記ダウンリンク制御情報に少なくとも一部基づいて、前記第１のＵＥにおいてＮＯＭＡダウンリンク送信のセットを受信するように構成される、装置。
［Ｃ２６］
前記第１のＵＥのための前記ダウンリンク制御情報が、前記グループ識別子および前記第１のＵＥに割り当てられたＵＥ識別子の決定論的な関数に少なくとも一部基づいて受信される、Ｃ１４に記載の装置。
［Ｃ２７］
前記第１のＵＥのための前記ダウンリンク制御情報が、前記第１のＵＥに割り当てられる第１のＵＥ識別子を参照する、Ｃ１４に記載の装置。
［Ｃ２８］
前記プロセッサが、
前記ＮＯＭＡグループと関連付けられる前記グループ識別子に少なくとも一部基づいて、少なくとも前記第２のＵＥのためのダウンリンク制御情報を受信するように構成される、Ｃ１４に記載の装置。
［Ｃ２９］
前記プロセッサが、
前記第２のＵＥのための前記ダウンリンク制御情報を、前記グループ識別子および前記第２のＵＥに割り当てられた第２のＵＥ識別子の決定論的な関数に少なくとも一部基づいて受信するように構成される、Ｃ１８に記載の装置。
［Ｃ３０］
プロセッサによって実行可能な命令を記憶するためのコンピュータ可読媒体であって、  第１のユーザ機器（ＵＥ）と少なくとも第２のＵＥとを備える非直交多重接続（ＮＯＭＡ）グループと関連付けられるグループ識別子に少なくとも一部基づいて、前記第１のＵＥのためのダウンリンク制御情報を受信するための命令と、
前記第１のＵＥのための前記ダウンリンク制御情報に少なくとも一部基づいて、前記第１のＵＥにおいてＮＯＭＡダウンリンク送信のセットを受信するための命令と
を備える、コンピュータ可読媒体。